(57)【特許請求の範囲】
【請求項１】
分岐した身体管腔へ組織支持器具を送出するシステムであって、
身体管腔に対して拡張可能な組織支持器具を送出するために形成された膨張式の気球を備えたカテーテルと、
前記気球側で支持されて、前記カテーテルに接続するガイド部材と、
前記気球の外周に沿って、および、前記ガイド部材の縦方向にスライド可能な枝管腔ガイドワイヤと
を有し、
前記ガイド部材は、分岐した身体管腔内における所望の縦方向、半径方向の位置に、組織支持器具を送出するために使用され、
前記ガイドワイヤを受け取るためのガイドループと、
前記ガイドループを前記カテーテルに対して固定するための手段と、
送出された組織支持器具の側面の空孔内に前記ガイドループを保持するために、該ガイドループから伸びると共に拡張されていない前記組織支持器具の内半径に一致する半径を有する少なくとも１つのタブと
を有することを特徴とするシステム。
【請求項２】
前記ガイド部材は、前記気球の側面から半径方向に進展し、該気球上にマウントされた組織支持器具の側面の空孔部で支持されて、配置されることを特徴とする請求項１に記載のシステム。
【請求項３】
前記気球上にマウントされた組織支持器具と、
該組織支持器具の外部に沿ってスライド可能である枝管腔ガイドワイヤと
を更に有することを特徴とする請求項１に記載のシステム。
【請求項４】
前記ガイド部材は前記組織支持器具と前記気球との間で位置決めされ、該気球上に該組織支持器具をかしめて止めることを特徴とする請求項３に記載のシステム。
【請求項５】
前記固定するための手段は、ワイヤーまたはチューブによって前記ガイド部材の本体に接続する圧縮つまみであり、
該圧縮つまみは、前記カテーテルのまわりにかしめられることを特徴とする請求項１に記載のシステム。
【請求項６】
前記ガイド部材は、前記気球上でマウントされた組織支持器具の側面の空孔に配置される、第１及び第２のガイドループを含んでいることを特徴とする請求項１に記載のシステム。
【請求項７】
前記少なくとも１つのタブは、前記送出された組織支持器具の内半径に対して、略一致する曲率半径を有する部材であることを特徴とする請求項１に記載のシステム。
【請求項８】
前記ガイドループと、少なくとも１つのタブが単一の管材料から形成されていることを特徴とする請求項１に記載のシステム。
【請求項９】
前記ガイドループに接続するスぺーサ部材を更に有し、
前記ガイドループが前記組織支持器具の側面の空孔内に位置決めされたとき、前記スペーサ部材は、前記ガイドループを該組織支持器具の側面の空孔の末端から所定の距離に離間することを特徴とする請求項１に記載のシステム。
【請求項１０】
前記ガイドループに隣接して、前記ガイドワイヤが通り抜ける補助のガイドループを更に備えることを特徴とする請求項１に記載のシステム。
【発明の詳細な説明】
【０００１】
（発明の背景）
1. 本発明の技術分野
本発明は組織を支持する医療器具の送出システム及びその方法に関するもので、特に、器官を支持し、かつ開通性を維持するために生きている動物か人間の２以上の身体の管腔の接合部に、拡張式で除去可能でない器具の送出に関するものである。
【０００２】
２．関連技術の概要
過去において、永久器具もしくは生分解性の器具は気管の開通性を維持するために身体気管内の注入のために開発されている。これらの器具は、通常、経皮的に導入し、身体気管の所望の場所に配置するまで経腔的に移送される。その後、これらの器具はその器具の内部に位置するマンドレル（mandrel）や気球を機械的に拡張させたり、身体内で保存された動作エネルギを解放して、自分で拡張する。一度管腔内で拡張した、ステントと呼ばれる器具は、身体組織内にカプセルに入れられるようになり、永久的な注入物として残存する。
【０００３】
しばしば、そのような器具に支持される領域は、分岐と呼ばれる2つ以上の管腔の接合点に、あるいはその近くに位置する。冠状動脈の血管形成手法では、例えば、事例の15%から20%が2本の動脈の接合点で、その領域を強化することが含まれると推測される。そのような接合の従来のステント注入は、枝動脈の少なくとも部分的な封鎖状態に帰着し、血液フローに影響し、さらなる血管形成手法に関する枝動脈へのアクセスを妨害するものであった。分岐を扱うための既知の技術は、一般に動脈へメッシュ組織支持器具を送出し、分岐上の器具の位置を決めるものがある。
【０００４】
既知の方法によれば、その後、外科医は、メッシュ器具の側壁によって気球を挿入し、次に、単にメッシュの局部的な機構を押しやるために気球を膨張させることにより、1つ以上の枝管腔アクセス空孔を生成することを試みている。
これらの技術は、自然界において本質的にばらつきのある技術であり、器具格子における拡張の正確なポイントは予測することができないし、また、器具はそのポイントで十分に拡張するかもしれないし、拡張しないかもしれない。二股に分かれた動脈を治療するために既知の技術によって提供される組織支持は同様に予測不能である。
【０００５】
さらに、そのような手法の有効性は、多くのメッシュ器具がその器具内の任意の位置でそのように拡張できないために制限されることとなる。
さらに、先行技術組織支持器具送出システムは、正確に枝動脈開口部上の特定の器具機構の位置を決めることができない。分岐に関する先行技術組織支持器具は、枝管腔開口部で器具を半径方向に適応させることを一般に試みていないものである。もっと正確に言えば、これらのステントは、それらの軸、あるいはいくつかの拡大した拡張セルがステントの円周方向まわりに一様に分配されている一端に沿ったセクションを含むものである。
【０００６】
推測では、ステント挿入後、これらのセルの一方若しくは他方が枝管腔開口部で十分に密接に方向づけられ、上述された次の手法が開口部をクリアーするだろうということだった。
【０００７】
そのような器具の1つとして、8個のセルを円周方向の構成に有するJostent（登録商標）分岐ステントの設計例がある。その構成は、ステントの長さの半分、および分岐管内の配置に関してアクセスを許容するために後に拡大することができる、より大きなセルの2あるいは3列分にわたるものである。
この技術に関する1つの問題は、分岐の領域でのステント機構の密度が、非常に低くあるので、ステントの強度が、組織支持に関して大動脈の周辺まわりでほとんどないということである。
【０００８】
したがって、管腔接合領域で、最も大きな組織支持を要求するが、現実に最低の支持を得ることになる。同じ理由により、そのような組織支持器具は、さらに接合領域で組織有効範囲(金属と組織の面積比)の低い比率を提供する。
低い金属有効範囲および組織との離脱の発生はより高い再狭窄割合に関係している。二叉に分かれる管内のステントを展開させる別の方法は、国際出願第WO98/19628号に記述されている。この方法によれば、略円形の側面の開口部がある主要なステント、および裾広がりの端部がある裾広がりのステントは、2つのステッププロセスで二叉に分かれる管を治療するために共に使用される。
【０００９】
第1ステップでは、主要なステントが、主要なステントの内部における膨張式の気球カテーテル、およびステントの側面の開口部を通じて伸びる、安定カテーテルを使用して位置決めされる。安定カテーテルは開口部で枝管に主要なステントの側面の開口部を合せるために使用される。その後、主要なステントは拡張する。また、裾広がりのステントは、管分岐への側面開口部を通って挿入される。この方法の1つの欠点は、管分岐で適切な縦方向と半径の位置で主要なステントの側面の開口部の位置を決める際の困難性にある。このシステムの別の欠点は形成および位置決めが困難で、血栓症を引き起こす血流中へ突出する傾向があるかもしれない。
【００１０】
先行技術における二股に分かれた組織を支持するシステムの欠点を考慮して、縦と半径の方向において、送出システムを枝管腔開口部で組織支持器具のサイドポート機構を正確に位置合わせすることができるすることは有利だろう。
枝管腔に正確に配置し、方向づけるために、第2の組織支持器具を使用することができる場合、それはさらに有利だろう。
【００１１】
（発明の概要）
本発明は、管腔接合あるいは分岐での使用に関する拡張可能な組織支持器具、送出システム、および管腔接合あるいは分岐で正確に組織支持器具を位置合わせし、適応させて、注入する方法を含むものである。
【００１２】
本発明の1つの様相に従って、システムは分岐した身体管腔に組織支持器具を送出することに関して記述される。システムは、管腔に拡張可能な組織支持器具を送出するために形成された膨張式の気球を備えたカテーテルと、その気球の一方に取り付けられ、カテーテルにつながれたガイド部材と、気球の外部に沿って伸び、ガイド部材中を縦方向にスライド可能な枝管腔ガイドワイヤと、を含んでいる。
【００１３】
発明の別の様相に従って、ガイド部材は所要の縦方向と半径の位置に分岐した身体管腔に組織支持器具を送出する使用に関して記述される。ガイド部材は、ガイドワイヤを受け取るためのガイド・ループと、カテーテルに対してそのガイド・ループを保護するための手段と、送出される組織支持器具の側面の空孔における位置で、そのガイド・ループを保持するために、そのガイド・ループから伸びる少なくとも1つのタブ(tab)を含むものである。
【００１４】
発明のさらに進んだ様相に従って、分岐した身体管腔に組織支持器具の送出する方法は、次のステップを含むものである。
【００１５】
すなわち、側面の空孔がある組織支持器具を拡張していない状態で提供するステップと、
その側面の空孔におけるガイド部材の位置を決めるステップと、
分岐のサイド・ブランチ（side branch）へ伸びるサイド・ブランチ・ガイド・ワイヤ端部とともに身体管腔内にサイド・ブランチ・ガイド・ワイヤを位置決めするステップと、
サイド・ブランチ・ガイド・ワイヤに沿ったガイド部材の追従により、身体管腔へ組織支持器具を送出するステップと、
サイド・ブランチの開口部とともに、半径方向及び縦方向に配列された側面空孔を備えた組織支持器具を位置決めするステップと、
また組織支持器具を拡張するステップと、を含むものである。
【００１６】
（好ましい実施形態の詳細な説明）
本発明は分岐した動脈に対して組織支持器具を送出するためのシステム及び方法を含むものであり、それは、拡張中に、組織支持器具が動脈における分岐に適合した特定の形状寸法のサイドポートを提供するものである。この送出システムは、動脈の枝管腔開口部に関してこれらのサイドポートを正確に半径方向と縦方向の両方に適応させることができるものであり、組織支持器具のサイドポート機構から進展するために位置するガイド部材10の利用により、方向が決定される。その組織支持器具は、器具の拡張に関して使用される気球カテーテル上方の動脈に送出される。ガイド部材10は、枝管腔開口部に組織支持器具のサイドポートを適切に方向づけられ、その枝管腔へ伸びるサイド・ブランチ・ガイド・ワイヤに沿って追従する。サイドポートがある組織支持器具が拡張する一方で、ガイド部材10は適切な位置で組織支持器具を保持する。そして拡張の後に、ガイド部材10は拡大したサイドポートから離脱し、気球カテーテル組立てのために引っ込められる。
【００１７】
図1は、本発明にかかるガイド部材10の1つの実施形態を示すものである。器具10は、ループ14、スペーサー・セクション16および2つのタブ（tabs）18を含む、好ましくは単一の部品として形成される本体（main body)12を含んでいる。ループ14の内径はループを通り抜けるガイド・ワイヤにクリアランスを提供するように十分な大きさのものである。ループ14、スペーサー・セクション16およびタブ18は、単一の管材料から全体的に形成されるものでもよい。タブ18の半径は、ガイド・ループがマウントされることになる、拡張していない組織支持器具の内半径に一般的に一致する。
【００１８】
ガイド部材10の本体12は長く柔軟なつなぎ縄20を介して圧縮つまみ（crimping lug）22に取付けられる。つなぎ縄20は一方の端で、本体12および圧縮つまみ22に付けられた単純なワイヤーでありえるか、あるいは、本体12および圧縮つまみ22と同じチューブから全体的に形成することができる。
【００１９】
ガイド部材10は好ましくはいくつかの利用可能な方法のうちの1つによって放射線を不透過にするように作られる。例えば、チューブの壁厚は優れた放射性不透過性のために十分厚く作られるかもしれない。その代わりに、ガイド・ループは、放射線不透過性の材料でメッキ、あるいは、被覆されるかもしれない。ガイド部材が所定の手順の後、直ちに引っ込められるので、異物とならず、永久の注入物にならない。放射線不透過性のガイド部材が、一層に詳細に下に説明されているような組織支持器具のサイドポートへかしめられるとき、サイドポートの正確な位置は蛍光透視鏡上ではっきりはっきり分かるだろう。
【００２０】
本発明で使用される好ましい組織支持器具は、従来のステントで通常見つからないいくつかの性能を提供する。組織支持器具は、組織支持器具がそれ自身カテーテル気球にかしめられるとき、サイドポート内で、ガイド部材10を安全に留めるサイドポート機構を提供するべきである。組織支持器具が拡張するとき、サイドポートはある所要の形に拡張するべきであり、ガイド部材を解放するべきである。組織支持器具は、さらに差動的な拡張ができるべきである。つまり、器具の異なる領域は、特定のシーケンスで展開するための性能を与えるような、異なる気球圧力で拡張するべきである。
【００２１】
図2aは、図示の容易さから平面図とされたものであるが、円筒状である、拡張可能な組織支持器具30の一実施形態の一部を示すものである。図2aの器具30は拡張されていない構成で示され、矩形の側面の空孔あるいはポート32を含んでいる。図2bは、一端において、矩形の空孔として示されるサイド・ポート機構32を有する、図2aの拡張可能な組織支持器具30を単純化した円筒状の斜視図である。組織支持器具30のこの実施形態は、所要の性能を達成するために複数の支柱を相互に連結させる、延性蝶番の使用に依存するものである。図2aで示されるタイプの組織支持器具は、米国特許出願番号09/183,555、１９９８年１０月２９日出願と、米国特許出願番号09/315,892、１９９９年５月２０日出願と、に詳細に示されており、両方の参照によってそれらの全体がここに組み入れられるものとする。
【００２２】
図2aおよび2bで示されるように、側面の空孔32は最初は拡張されていない組織支持器具30で矩形の空孔の形式をとる。側面の空孔32は、延性蝶番36によって順に連結する6本の支柱34に、隣接する。矩形の側面の空孔32は、ガイド・ループ機構10の輪郭に密接に適合する。また、延性蝶番の優れたかしめ特性は、組織支持器具30がカテーテル気球上にかしめられるとき、空孔がガイド・ループ機構をしっかりと取り囲むことを可能にする。組織支持器具30が拡張するとき、気球の膨張によって、側面の空孔機構32はガイド部材10を解放して、八角形の空孔を形成するために拡張するだろう。
【００２３】
図2aの組織支持器具30において、器具の左端あるいはその近接端部で支柱40と連結している延性蝶番38は、その器具の右端、すなわち、末端の支柱44と連結している延性蝶番42より幅広なものである。延性蝶番の幅は、器具30の円周の方向へ測定される。気球圧力が器具30の拡張中に増加されるとき、器具の末端は器具の2つの端部で、延性蝶番の異なる構成により中心に近い方の端部の前に開くだろう。器具が、支持される管腔の内側の直径に相当する、名目上の拡張を越えて拡張ができるように、組織支持器具30が選択されるべきである。このことは、動脈直径における変形を考慮に入れる拡張した管腔の所要の直径に組織支持器具30が拡張することができることを保証するだろう。
【００２４】
組織支持器具30の名目上の拡張を越えてある付加的な拡張を考慮に入れることは、器具がインストールされたとき器具の円周まわりの支柱のうちのいくつかがそれらの固定（locking ）角度に到着しないだろうということを意味する。従って、支柱48がすべて、側面の空孔32に隣接する支柱34の前にそれらの十分な拡張まで展開する場合、これは、組織支持器具がインストールされるときに、側面の空孔は完全には開かれていないにことに帰着するかもしれない。部分的に開かれた側面空孔は、部分的に枝動脈へのアクセスを閉鎖するかもしれない。従って、側面の空孔32に隣接する支柱34をつなぐ延性蝶番36は、その周囲の支柱48の延性蝶番46より好ましくは多少狭いものである。これは、周囲の支柱48が十分な拡張に達する前に空孔機構がその最終形状まで開くことを保証するものであろう。
【００２５】
本発明は、図2aで図示された器具のような延性蝶番がある組織支持器具に関して説明されただろう。しかしながら、本発明によって、側面空孔がある他の既知の組織支持器具の送出に関するシステムおよび方法も使用されてもよいことは理解されるべきである。
【００２６】
図3は、組織支持器具30に挿入されたガイド部材10を図示するものであり、矩形の側面の空孔32を通ってループ14が外に突き出て、その空孔で保持される。ガイド部材10は、組織支持器具30と気球カテーテル組立ての間で捕らえられたタブ16によって側面の空孔32で保持される。
【００２７】
図4で示されるように、組織支持器具30およびガイド部材10はカテーテル気球56にマウントされる。また、組織支持器具30は既知のやり方で気球上にかしめられる。かしめるプロセスは、側面の空孔で適所にガイド・ループをロックして、組織支持器具30の矩形の側面の空孔32の支柱要素34にガイド・ループ10を取り囲ませる。ガイド・ループ10の圧縮つまみ22はカテーテルへのガイド部材10を安全にして、ちょうど気球組立ての中心に近い方の端部より下方のカテーテル54のまわりでかしめられる。カテーテルおよび組織支持器具組立ては、ちょうど、挿入と展開に関する準備が整えられたことになる。
【００２８】
器具がかしめられるとき、すなわち、気球56上で保護されたとき、ガイド部材が位置決めされた短いチューブあるいはループを形成し、組織支持器具の側面の空孔を通って出て行くのと同じ方法で気球/カテーテル組立て品が保護される限り、ガイド部材10は他の構成を呈するかもしれない。例えば、ガイド部材はプラスチック管材から形成されるかもしれないし、例えば接着剤によって、気球に直接に取り付けられるかもしれない。
【００２９】
カテーテルおよび組織支持器具組立ての挿入に先立って、2つのカテーテル・ガイド・ワイヤがオペレーターによってインストールされる。第1のガイド・ワイヤ50は図4で示されるような大動脈60に続く。また、第2のガイド・ワイヤ52は枝動脈62へ挿入される。カテーテルの末端で気球56上にマウントされた組織支持器具30を有するカテーテル54は、大動脈ガイド・ワイヤ50上を追跡する。枝動脈ガイド・ワイヤ52は、組織支持器具30の上部を通って、突き出ているガイド・ループ12に通される。その後、組立て品はカテーテル誘導チューブ(示されていない)を通って分岐68の位置に供給される。カテーテル組立て品が分岐68に接近するとき、組織支持器具30および枝動脈ガイド・ワイヤ52によって形成されたU字形の鍵（clevis）64は、枝動脈開口部の末端の側面66に対して静止するようになる。ガイド・ループ14及び、かしめられる組織支持器具30のサイドポート32は、ちょうど、枝動脈開口部の下方に直接的に位置合わせされ、器具は展開のための準備が整えられた。スペーサー16はガイド・ループを、側面の空孔32の末端から前もって決められた距離に配置し、その結果、側面の空孔は、適切に分岐68の開口部に位置合わせされるだろう。
【００３０】
組織支持器具30を展開させるために、組織支持器具の末端70が、大動脈60の管腔直径に拡張するまで、圧力はカテーテル気球56で増加される。この手順は、図5で示されるような所要の半径方向と縦方向の方向づけで適所に組織支持器具30をロックする。
【００３１】
次に、サイド・ブランチ・ガイド・ワイヤ52は、枝管腔62およびガイド・ループ14から引き込められ、わずかに図6で示されるようなカテーテル気球56のプロキシマル（proximal）端部の後ろの位置まで引き戻される。組織支持器具30の連結部に近い方の端部が拡張していないので、サイド・ブランチ・ガイド・ワイヤ52は自由に前後の縦方向に移動することができる。拡張した組織支持器具30と管腔壁の間のサイド・ブランチ・ガイド・ワイヤをピンで留めることを回避するために組織支持器具30の連結部に近い方の端部の拡張を完了する間に、サイド・ブランチ・ガイド・ワイヤ52を一時的に引っ込めることは望ましい。これは差動的な拡張性能が組織支持器具30において有益であるという理由である。
【００３２】
サイド・ブランチ・ガイド・ワイヤ52の回収の後に、サイドポート領域および組織支持器具30の連結部に近い方の端部が、十分に拡張するまで、カテーテル気球56内の圧力はさらに増加する。サイドポート領域の拡張中に、スペーサー16とループ14は、側面の空孔32の縦方向の寸法を維持し、拡張中に側面の空孔の縦方向の収縮を防ぐ。大動脈組織支持器具30は、枝管腔開口部にわたり位置決めされた特定の形状寸法のサイドポート32aの十分な開口と、図７に示すように良好な組織支持を提供するために、そのサイドポートの反対側の動脈で展開する支柱要素の十分な補足とを伴って。完全に配置される。
【００３３】
その後、空気は、拡大したサイドポート32aからガイド部材10が離脱することを可能にして、カテーテル気球56から抜かれる。その後、空気が抜かれたカテーテル/気球組立て品は、図8で示されるようにつなぎ縄18と圧縮つまみの22を介してそれと共にガイド部材10を引いて引っ込められる。カテーテル/気球/ガイド・ループ組立て品が引っ込められた後、サイド・ブランチ・ガイド・ワイヤ52は、次の手順のために、組織支持器具の拡大された側面の空孔32aと枝管腔を通って再挿入されるかもしれない。
【００３４】
図9および10で図示されるようなガイド部材への1つ以上の補助のガイド・ループの追加は、送出システムの方向の決定精度を改善することができる。図9で示されるようなガイド部材70は、スペーサー・セクション16およびタブ18を備えた主要ループ14および補助のループ72を含んでいる。補助のループ72には、また、ガイド・ループがマウントされる拡張されていない組織支持器具の内半径に一般に一致するタブ74が準備されている。補助のループ72は第1のつなぎ縄76によって、主要ループ14と接続し、第2のつなぎ縄78によって、圧縮つまみ22に接続する。図10で示されるように、補助のループ72は、組織支持器具30の第2のサイドポート機構80を通って出てくる。付加的な1つ以上の補助のループ72は、主要なガイド・ループ14に隣接して位置合わせされる。図9および10で示されるガイド部材70を使用する組織支持器具30に関する取り付け要領は、単一のガイド・ループを用いる実施形態に関して上述されるのと同じ方法で実行されるだろう。しかしながら、サイド・ブランチ・ガイド・ワイヤ52は主要なガイド・ループ14および補助のループ72の両方を通って進展していくことになる。
【００３５】
主要な管腔へ組織支持器具30の注入に続く共通となる1つの手順は、枝管腔62に第2の組織支持器具を注入することになるだろう。上述のように概説された一つの手順に非常に類似する手順としては、主要な管腔および枝管腔ガイド・ワイヤの役割を単に逆にしても、このタスクを遂行するために使用することができる。上述のように、ガイド部材は、第2の組織支持器具のサイドポートへ挿入され、その組立て品は従来のカテーテル気球上でかしめられる。この場合、カテーテルおよび組織支持器具組立て品はサイド・ブランチ・ガイド・ワイヤ52にマウントされ、大動脈ガイド・ワイヤ50はガイド部材を通って、縫うように進んでいく。上記のように、全組立て品は、枝管腔開口部の末端面に対して、組織支持器具および大動脈ガイド・ワイヤ50によって形成されたU字形の鍵が静止する、分岐位置に、供給される。この場合、先に注入された組織支持器具30のサイドポートの境界支柱は、分岐の末端側に、入って来る組織支持器具の側面の空孔側を配置するために、さらに正確なストッパーを適所に提供するものでもある。
【００３６】
上述のように、第2の器具を展開させるための組織支持器具展開シーケンスは、以下のように進められるだろう。すなわち、枝組織支持器具の末端は、その組織支持器具を固着した枝動脈内の位置で拡張し、大動脈ガイド・ワイヤ50は、カテーテル気球の隣接面の端部より下方に引き込まれるだろう。第2の組織支持器具の拡張されていないプロキシマル端部（ proximal end）は、大動脈で下流に面する組織支持器具サイドポートと共に、大動脈中に伸びていく。
【００３７】
第2の組織支持器具の拡張が完了するとき、第2の組織支持器具のプロキシマル端部（ proximal end）は、枝動脈開口部の隣接面まわりで曲げられた第2の組織支持器具と共に大動脈に注入されるだろう。サイドポートのリーディングエッジ（ leading edge）が上述されたように分岐接合位置に最初に位置合せされたときから、第2の組織支持器具のサイドポートはこの屈曲に対して正確に、逆向きに開くだろう。サイドポートは大動脈を通った流れを許容し、そして、枝動脈開口部（屈曲した領域）の隣接面に対して、支持を提供するサイドポートの反対側に配置されている組織支持器具の支柱を展開する。注入が完了した後、手順を終えて、カテーテル/気球/ガイド・ループ組立て品は引き込められる。
【００３８】
発明は、動脈に二股に分かれた管腔に関する支持の提供に関して説明されているが、他の身体の管腔で分岐に関する支持を提供するために、発明も使用されてもよいことが、理解されるべきである。
【００３９】
本発明をその好ましい実施形態について詳細に述べてきたが、本発明から逸脱することなく種々の変更および回収ができ、同等品を使用できることが、当業者には明白である。
【００４０】
添付図面で図示される、本発明にかかる好ましい実施形態は、付された参照番号を参照しつつ、より詳しく説明されただろう。
【図面の簡単な説明】
【図１】    図１は本発明にかかるガイド部材の全体斜視図である。
【図２ａ】    図2aは、図示の容易さから平面図として示した、サイドポートを備えた拡張されていない組織支持器具の側面図である。
【図２ｂ】    図2bは、図2aの円筒状の組織支持器具の概略的な斜視図である。
【図３】    図3は、図2aおよび2bの組織支持器具のサイドポートでマウントされた図1のガイド部材の斜視図である。
【図４】    図4は、2本の動脈の接合に挿入される際、気球カテーテルおよび2つのガイド・ワイヤを備えた、図2aおよび2bの組織支持器具の斜視図である。
【図５】    図5は注入シーケンスの第1ステップである、組織支持器具の末端の拡張を示す斜視図である。
【図６】    図6は注入シーケンスの第2のステップである、枝管腔ガイド・ワイヤの回収を示す斜視図である。
【図７】    図7は注入シーケンスの第三ステップである、組織支持器具のサイドポート領域およびその近傍端部の拡張を示す斜視図である:
【図８】    図8は注入シーケンスの第四ステップである、気球およびガイド・ループの収縮および回収を示す斜視図である。
【図９】    図9は本発明にかかる、補助のガイド・ループを備えたガイド部材の斜視図である。
【図１０】    図10は、2つのサイドポートがある組織支持器具でマウントされた図9のガイド部材の斜視図である。
【図１】
0004198322.tif 000002
【図２Ａ】
0004198322.tif 000003
【図２Ｂ】
0004198322.tif 000004
【図３】
0004198322.tif 000005
【図４】
0004198322.tif 000006
【図５】
0004198322.tif 000007
【図６】
0004198322.tif 000008
【図７】
0004198322.tif 000009
【図８】
0004198322.tif 000010
【図９】
0004198322.tif 000011
【図１０】
0004198322.tif 000012